(57)【要約】【課題】  ラップからラッピングフィルムを引き出してカットする操作が簡単に行える取り扱いやすいカッティングホルダを提供する。【解決手段】  芯筒にラッピングフィルムを巻回したラップを収納する上部が開口する収納部１０と、収納部の一方の開口縁側を開き側として前記収納部１０に開閉可能に取り付けられた開閉蓋１４と、収納部の一方の開口縁に沿って所定距離離間して配置されるとともに、収納部１０から外方に膨出して、開閉蓋を閉めた状態で開閉蓋の前端部から下方に離間した位置に設けられる少なくとも２つのフィルム受け部１８ａ、１８ｂと、開閉蓋１４の前端部と前記フィルム受け部１８ａ、１８ｂの受け面２０ｂとの間で、開閉蓋の内面に当接する上位置と、前記受け面に当接する下位置との間で回動可能にかつ常時は前記受け面に当接する向きに付勢されて、収納部の長手方向の略全長にわたって開閉蓋に支持されたカット刃２２と、カット刃を前記下位置から前記上位置に回動する押さえ板３０ａ、３０ｂ等の回動機構とを備える。【選択図】          図１
2005087444.tif 000002
【特許請求の範囲】
【請求項１】
芯筒にラッピングフィルムを巻回したラップを収納する上部が開口する収納部と、前記収納部の一方の開口縁側を開き側として前記収納部に開閉可能に取り付けられた開閉蓋と、前記収納部の一方の開口縁に沿って、前記開閉蓋を閉めた状態で開閉蓋の前端部から下方に離間した位置に、前記収納部から外方に膨出して、ラッピングフィルムの端部を引き出すための空きを設けて配置されるフィルム受け部と、前記開閉蓋の前端部と前記フィルム受け部の受け面との間で、開閉蓋の内面に当接する上位置と、前記受け面に当接する下位置との間で回動可能にかつ常時は前記受け面に当接する向きに付勢されて、前記収納部の長手方向の略全長にわたって前記開閉蓋に支持されたカット刃と、該カット刃を前記下位置から前記上置に回動する回動機構とを備えることを特徴とするラップのカッティングホルダ。
【請求項２】
回動機構として、開閉蓋に回動可能に取り付けられた押さえ板と、該押さえ板をカット刃とを連繋するリンク部材とを設けたことを特徴とする請求項１記載のラップのカッティングホルダ。
【請求項３】
開閉蓋の長手方向の両端に設けた支持側板の内側面間に、収納部に収納されたラップから引き出されるラッピングフィルムの引き出しをガイドするガイド体を設けたことを特徴とする請求項１または２記載のラップのカッティングホルダ。
【請求項４】
ラップの芯筒にラップとは別体に形成した支持軸を挿通し、支持軸の端部をホルダの側板に回動可能に支持したことを特徴とする請求項１、２または３記載のラップのカッティングホルダ。
【発明の詳細な説明】
【技術分野】
【０００１】
本発明はラップのカッティングホルダに関し、より詳細には家庭等で使用されているラップから簡単にラッピングフィルムを引き出してカットすることができるラップのカッティングホルダに関する。
【背景技術】
【０００２】
家庭等においては、食品の保存用、電子レンジによる加熱用等として、ラップが広く使用されている。従来のラップは紙製の芯筒に長尺なラッピングフィルムを巻回して形成されたもので、細長に形成された収納箱に収納されて提供されている。そして、ラップを使用する際は、収納箱の上蓋を少しあけながら、収納箱の外縁部に沿って上蓋の折り返し部によって折り込まれていたラッピングフィルムの端縁部をつまんでラッピングフィルムを引き出し、上蓋の端縁に設けられているカット刃によってラッピングフィルムを幅方向にカットして使用する。
【０００３】
カット刃によってカットされたラッピングフィルムの切り残し端は、上蓋の折り返し部で内側にたたみ込まれ、折り返し部で押さえ込まれることによって収納箱の外側に保持される。製品によっては、ラッピングフィルムが折り返され収納る箱の外縁部に沿って粘着部が設けられ、切り残し端のラッピングフィルムが粘着部に粘着して、収納箱の内側に逆戻りしないようにされている。
【発明の開示】
【発明が解決しようとする課題】
【０００４】
ラッピングフィルムをカットするカット刃を備えた従来のラップ製品を使用する場合は、上記のように、まず上蓋をあけて上蓋の内側（収納箱の外面）に切り残されているラッピングフィルムの端部をつまんで引き出すようにする。この場合、ラッピングフィルムの切り残し端が収納箱の外側に残っていれば問題はないのであるが、上蓋をあけた際に上蓋とともにラッピングフィルムの端縁が持ち上がって収納箱の内側に戻ってしまうことがあり、その場合には、ラッピングフィルムの切り残し端を引き出す操作がやっかいになるという問題がある。とくに、ラッピングフィルムがカット刃に合わせてきれいにカットされていなかったりすると、上蓋とともにラッピングフィルムが持ち上がりやすくなる。
【０００５】
また、ラッピングフィルムが逆戻りしないように、ラッピングフィルムの切り残し端が収納箱の外縁部に粘着するようになっている製品では、粘着部分から上手にラッピングフィルムを剥がさなくてはならず、この操作もまた面倒である。また、従来のラップ製品では収納箱を片手に持ちながら、ラッピングフィルムを引き出してカットするから、上蓋をしっかりと保持したりする必要があり、操作が難しく、上手にカットできない場合があるという問題がある。このため、しばしば、ラッピングフィルムを無駄にしてしまうことがあった。
【０００６】
そこで、本発明はこれらの課題を解決すべくなされたものであり、その目的とするところは、ラップから確実にラッピングフィルムを引き出すことができ、ラッピングフィルムを簡単にカットすることができる取り扱い性のよいラップのカッティングホルダを提供するにある。
【課題を解決するための手段】
【０００７】
本発明は上記目的を達成するため、次の構成を備える。
すなわち、芯筒にラッピングフィルムを巻回したラップを収納する上部が開口する収納部と、前記収納部の一方の開口縁側を開き側として前記収納部に開閉可能に取り付けられた開閉蓋と、前記収納部の一方の開口縁に沿って、前記開閉蓋を閉めた状態で開閉蓋の前端部から下方に離間した位置に、前記収納部から外方に膨出して、ラッピングフィルムの端部を引き出すための空きを設けて配置されるフィルム受け部と、前記開閉蓋の前端部と前記フィルム受け部の受け面との間で、開閉蓋の内面に当接する上位置と、前記受け面に当接する下位置との間で回動可能にかつ常時は前記受け面に当接する向きに付勢されて、前記収納部の長手方向の略全長にわたって前記開閉蓋に支持されたカット刃と、該カット刃を前記下位置から前記上位置に回動する回動機構とを備えることを特徴とする。
【０００８】
また、前記回動機構として、開閉蓋に回動可能に取り付けられた押さえ板と、該押さえ板をカット刃とを連繋するリンク部材とを設けたことにより、押さえ板を押さえる操作によって簡単にカット刃を回動させてラッピングフィルムをカットすることができる。
また、前記開閉蓋の長手方向の両端に設けた支持側板の内側面間に、収納部に収納されたラップから引き出されるラッピングフィルムの引き出しをガイドするガイド体を設けたことにより、広幅のラッピングフィルムを確実に引き出してカットすることができる。
また、前記ラップの芯筒にラップとは別体に形成した支持軸を挿通し、支持軸の端部をホルダの側板に回動可能に支持したことを特徴とする。
【発明の効果】
【０００９】
本発明に係るラップのカッティングホルダによれば、ラッピングフィルムをラップから引き出してカットする操作をきわめて簡単にかつ確実に行うことができ、だれでも簡単に使うことができる取り扱い性の良いラップのカッティングホルダとして提供することができる。
【発明を実施するための最良の形態】
【００１０】
以下、本発明の好適な実施の形態について添付図面とともに詳細に説明する。  図１は本発明に係るラップのカッティングホルダの一実施形態の構成を示す斜視図、図２は正面図である。
本実施形態のラップのカッティングホルダは図１に示すように、芯筒にラッピングフィルムを巻回したラップを収納するための、上部が開口する半円筒状に形成された収納部１０と、収納部１０の長手方向の両端に収納部１０と一体に形成した側板１２ａ、１２ｂと、収納部１０の上部に設けた開閉蓋１４とを主要構成部分とする。側板１２ａ、１２ｂはテーブル等にカッティングホルダを安定的に支持するためのものである。
【００１１】
図３にカッティングホルダの側面図と開閉蓋１４を開いた状態を示す。図のように、開閉蓋１４は側板１２ａ、１２ｂの後部に設けた軸１６を支点として回動可能に設けられ、半円筒状に形成された収納部１０の上部開口部を覆うように形成されている。側板１２ａ、１２ｂの上部は円弧状に形成されており、開閉蓋１４はこの円弧状の形態にならって後部側が湾曲するように形成されている。開閉蓋１４は収納部１０にラップを装着したり取り外したりする際に開閉するもので、常時は収納部１０にラップを収納して開閉蓋１４を閉めた状態で使用する。開閉蓋１４を閉めることによって、収納部１０と開閉蓋１４とによって細長のラップを収納する円柱状の空間が形成される。
図１、２に示すように、開閉蓋１４は正面の端面形状がコの字状に形成され、開閉蓋１４を閉めた状態で開閉蓋１４の前端部の下方に空き空間が形成される。
【００１２】
１８ａ、１８ｂは開閉蓋１４の前端部から下方に離間した位置で、収納部１０の外側面から外方に膨出するように形成したフィルム受け部である。フィルム受け部１８ａ、１８ｂはカッティングホルダを正面方向から見て左右に分離した位置に設け、フィルム受け部１８ａ、１８ｂの中間では収納部１０の外側面が露出している。この２つのフィルム受け部１８ａ、１８ｂが設けられている中間の空き空間部分は、カッティングホルダからラッピングフィルムの端縁を指でつまんで引き出す位置になる。２つのフィルム受け部１８ａ、１８ｂの離間間隔は、これらのフィルム受け部１８ａ、１８ｂの中間に指を差し入れて引き出す操作が容易にできる間隔に設定すればよい。
【００１３】
図１に示すように、フィルム受け部１８ａ、１８ｂはともに下部側から上部側にかけて徐々に肉厚になるように形成され、上端での前後幅がもっとも広幅となる。フィルム受け部１８ａ、１８ｂの上端面は、ラッピングフィルムをカットする際にラッピングフィルムとカット刃を受けるための受け面２０ａ、２０ｂとして作用する。左右の受け面２０ａ、２０ｂは収納部１０の手前側の開口縁と同一高さ位置に形成され、左右の受け面２０ａ、２０ｂの高さ位置と収納部１０の開口縁の高さ位置は同一となっている。なお、本実施形態ではフィルム受け部１８ａ、１８ｂを収納部１０の長手方向に２つ設けているが、３つ以上設けることも可能である。
【００１４】
たとえば、フィルム受け部を３つ設けた場合には、フィルムの端部をつまんで引き出す個所（空き位置）がホルダの長手方向に２個所となる。フィルムをカットする操作は、フィルムの端部をつまんで引き出した後、手のひらでフィルムを挟むようにして一定の引き出し長さまでフィルムを引き出し、フィルムを幅方向にカットするようにする。したがって、フィルムをつまんで引き出して、手のひらでフィルムを挟むようにした際に、ちょうど手のひらでフィルムの幅方向の中央付近を握ることができるようにしておくのがよい。フィルムの引き出し位置をホルダの長手方向に２個所設ける際には、引き出し位置をホルダの長手方向の中央位置からそれぞれ左右に若干偏位させ、フィルムをつまんで引き出し、手のひらでフィルムを挟んだ際に、フィルムの幅方向の略中央部でフィルムを挟む（つかむ）位置となるように設定しておくのがよい。フィルムの幅方向で一方に偏り過ぎてフィルムを引っ張ると、ラッピングフィルム４２が一方に引っ張られて歪み、ラップ４０からスムーズにラッピングフィルム４２が引き出せなかったり、フィルムを的確にカットすることができなかったりすることがある。
【００１５】
２２は開閉蓋１４の前端部とフィルム受け部１８ａ、１８ｂとの間で回動可能に設けたカット刃である。このカット刃２２は、開閉蓋１４の両端に設けた支持側板１４ａ、１４ｂの内側面間にかけ渡して取り付けたガイド体２４に回動可能に取り付けられている。
図４にカット刃２２とガイド体２４の構成を示す。ガイド体２４はカッティングホルダから引き出されるラッピングフィルムをガイドして引き出しやすくするとともに、カット後のラッピングフィルムがホルダの内部に引き込まれないように保持するためのものである。開閉蓋１４を閉めた際に、ガイド体２４と収納部１０の手前側の開口縁とフィルム受け部１８ａ、１８ｂとの間でフィルムが挟まれることによりラッピングフィルムが巻き戻されることを防止する。ガイド体２４は収納部１０の開口縁に沿って、その全長にわたって設けられ、これによって、ラッピングフィルムを全幅でスムーズに引き出すことを可能としている。
【００１６】
ガイド体２４はラッピングフィルムを円滑に引き出すためのもので、滑り性の良い材料によって形成する。本実施形態ではガイド体２４を半円柱状に形成し、正面側から見た状態で膨出部分が後部側となるように開閉蓋１４に固定されている。ガイド体２４を半円柱状に形成しているのは、収納部１０に収納されているラップからラッピングフィルムを引き出す際に、ガイド体２４の外面をすべるようにしてラッピングフィルムが引き出されるようにするためである。ガイド体４２とラッピングフィルムとの摩擦を小さくし、ラッピングフィルムが真っ直ぐに引き出されるように、ガイド体４２の外面に溝を設けることもよい。
なお、フィルム受け部１８ａ、１８ｂとガイド体２４との当接部分にラッピングフィルムの戻り防止用に、クッション体、すべり止め等の小片を設置することも有効である。
【００１７】
図４に示すように、カット刃２２は細長の板体状に形成した部材であり、ガイド体２４の長手方向と平行にガイド体２４に取り付けられている。２２ｂ、２２ｂはカット刃２２に設けられている支持片部であり、この支持片部２２ｂ、２２ｂがガイド体２４の前面に設けられている軸受け２５、２５に軸支されている。刃先２２ａはカット刃２２の端縁の全長にわたって設けられている。本実施形態でカット刃２２を板体状に形成しているのは、ラッピングフィルムをカットする際に、カット刃２２とフィルム受け部１８ａ、１８ｂの受け面２０ａ、２０ｂとでラッピングフィルムを挟むようにするためである。
【００１８】
なお、カット刃２２はラッピングフィルムをカットしない状態では刃先２２ａが常時下位置にあるようにする。刃先２２を下位置にした状態で受け面２０ａ、２０ｂにカット刃２２が位置するようにし、刃先２２ａがフィルム受け部１８ａ１８ｂに密着させる事でカッティングホルダの取り扱い時の安全性を高めることができる。刃先２２ａが常時は下位置にあるようにする方法として、本実施形態ではカット刃２２を軸支する軸２６にスプリング２７を外挿し、スプリング２７によってカット刃２２を下方に回動させる向きに付勢している。
【００１９】
図１、２は開閉蓋１４を閉めた状態でカット刃２２が上位置にある状態を示している。カット刃２２が下方に付勢される事で刃先２２ａをフィルム受け部１８ａ１８ｂに密着させ刃先２２ａが指先に触れたりせず、安全に使用することが可能になる。
カット刃２２の刃先２２ａをフィルム受け部１８ａ、１８ｂに密着させる事で、鋭い刃先２２ａを使用することができ、これによってラッピングフィルムがカットしやすくなるという利点もある。
【００２０】
なお、カット刃２２は、図５に示すように、カット刃２２の刃先２２ａを、カット刃２２の長手方向に小さい刃が連設された形態としたものが好適に使用することができる。図５(a)は、カット刃２２の前部側を薄く形成してフィルム受け部１８ａ、１８ｂにカット刃２２が当接した際に、刃先２２ａがラッピングフィルムにくい込みやすくしたものである。刃先２２ａを小さい刃が連設した形状とすることで、カット刃２２でラッピングフィルムを押さえて、フィルムを片手で引っ張るだけで、刃先２２ａの位置で簡単にフィルムをカットすることができる。刃先２２ａの小さい刃はカット刃の面に対して、略直角に突出させるようにすると、ラッピングフィルムがカットしやすく、カット後にフィルムがカット刃２２から簡単に離れるようになる。
【００２１】
図６はカット刃２２を回動操作してラッピングフィルムをカットする押さえ機構の構成について示す。前述したように、カット刃２２を回動可能に支持するガイド体２４は開閉蓋１４を閉めた状態でフィルム受け部１８ａの奥側でフィルム受け部１８ａ、１８ｂとの間でラッピングフィルムを挟む位置にある。
カット刃２２はカット位置にあるため、カット刃２２を持ち上げフィルムを引き出した後、元に戻しカットする。回動する操作は、カット刃２２の側面に軸支したリンク板２８を介して連繋する押さえ板３０を押圧する操作によってなされる。押さえ板３０は軸３１により開閉蓋１４に対して回動可能に支持され、常時は開閉蓋１４の上面から後端側が突出するように構成されている。
【００２２】
リンク板２８はその両端がカット刃２２と押さえ板３０ａ、３０ｂとに軸支され、押さえ板３０ｂを下方に押すことにより、カット刃２２が軸２６を支点として上方に回動する。図６ではカット刃２２が上方に回動した状態を示している。カット刃２２は前述したようにスプリング２７によって常時下方に回動する向きに付勢されており、この付勢力によってリンク板２８および押さえ板３０ａ、３０ｂが支持されることになる。押さえ板３０ｂを押し下げてカット刃２２を上位置に回動させる操作は、スプリング２７の付勢力に抗して押さえ板３０ｂを押し下げる操作になる。なお、カット刃２２はその刃先部が開閉蓋１４の前縁部の内面（天井面）に当接した位置で上位置が規制される。
カット刃２２は、図６破線で示すように、下位置に回動した際に、カット刃２２とフィルム受け部１８ａとでラッピングフィルムを挟む状態になる。
【００２３】
図７は、カッティングホルダの使用時の構成を示すもので、収納部１０にラップ４０を装着した状態の収納部１０の内部構成を示す。収納部１０の両端にはラップ４０の芯筒４１を受ける芯受け部４４が形成されており、ラップ４０は開閉蓋１４をあけ、芯受け部４４に芯筒４１の端部をかけるようにしてラップ４０をセットする。
なお、ラップ４０をカッティングホルダにセットする際は、ラッピングフィルム４２の端部を若干引き出した状態で収納部１０にセットし、側板１２ａ、１２ｂの内側面間に剥離棒４６を係止し、剥離棒４６の上側を通過するようにしてラッピングフィルム４２を引き出すようにする。剥離棒４６は収納部１０の開口部の手前側で収納部１０の長手方向と平行に、ラップ４０の外周面よりもやや上方に離間させて配置し、ラップ４０から引き出されるラッピングフィルム４２をラップ４０から剥離させる作用をなす。側板１２ａ、１２ｂには図３に示すように、剥離棒４６を係止するための切欠き４６ａが設けられており、ラップ４０をカッティングホルダに脱着する際に剥離棒４６を脱着する。
【００２４】
カッティングホルダを使用する際は、図６に示すように押さえ板３０ｂを押しカット刃を上位置に回動させラッピングフィルム４２の端縁部を指でつまんで必要な長さ分だけ引き出し、押さえ板３０ｂを離し押さえ板３０ａを押しながらカット刃２２でラッピングフィルム４２を押さえてカットする。
押さえ板３０ａを下向きに押すことによって、カッティングホルダがテーブル等に押さえられ、カッティングホルダを保持した状態でラッピングフィルム４２をカットすることができる。
【００２５】
ラッピングフィルム４２をカットした状態では、ラッピングフィルム４２の切り残し端はカット刃２２とフィルム受け部１８ａ、１８ｂとによって挟まれている。したがって、押さえ板３０ａを押し下げている状態でラッピングフィルム４２が位置ずれすることがない。また、押さえ板３０ａから手を離しても、スプリングの付勢力によりフィルムを押さえ、巻き戻り防止にもなっている。  
【００２６】
こうして、ラッピングフィルム４２をカットした状態では、図１に示すようにラッピングフィルム４２の切り残し端がフィルム受け部１８ａ、１８ｂの上に残り、フィルム受け部１８ａ、１８ｂの中間部分では、ラッピングフィルム４２の切り残し端がフィルム受け部１８ａ、１８ｂにかけ渡された状態になる。
したがって、次回のラッピングフィルム４２をカットする操作では、フィルム受け部１８ａ、１８ｂの中間に指を差し入れて簡単にラッピングフィルム４２をつまんで引き出すことが可能になる。フィルム受け部１８ａ、１８ｂの中間に指を差し入れてラッピングフィルム４２を引き出す際には、カット刃２２を上側に回動させて行う。
【００２７】
こうして、ラッピングフィルム４２をホルダから引き出し、ラッピングフィルム４２をカットする操作を行うごとに、ラッピングフィルム４２の切り残し端がフィルム受け部１８ａ、１８ｂの中間に次々と残り、、ラッピングフィルム４２の切り残し端をつまんではラッピングフィルム４２を引き出してラッピングフィルム４２をカットすることができる。
【００２８】
とくに、本実施形態のカッティングホルダでは、ラッピングフィルム４２の切り残し端がフィルム受け部１８ａ、１８ｂの中間に外部から見えて残るから、ラッピングフィルム４２の引き出しミスがなくなり、確実にラッピングフィルム４２を引き出してカットすることができる。また、ラッピングフィルム４２をカットする際に、カット刃２２とフィルム受け部１８ａ、１８ｂとでラッピングフィルム４２を上下から挟むことにより、ラッピングフィルム４２のカットミスがなくなり、確実にラッピングフィルム４２をカットすることが可能になる。
【００２９】
なお、図６、７ではカット刃２２を常時下位置に付勢するため、リンク板２８の上部側の軸にスプリング２９を取り付けた例を示す。このように、リンク板２８と押さえ板３０ａ３０ｂとのリンク部分にスプリングを装着すると、スプリングが外部から見えなくなり、見栄えがよくなる。また、本実施形態では、カット刃２２を回動操作する機構として押さえ板３０とカット刃２２とをリンク板２８を介して連繋する構成としたが、カット刃２２を回動操作する回動機構はこの実施形態の構成に限るものではなく、たとえばラック・ピニオンを利用してカット刃２２を回動操作させることも可能である。
【００３０】
なお、上記実施形態においては、カット後にラッピングフィルムの端部がホルダの内部に引き込まれないように、開閉蓋１４にガイド体２４を取り付ける構成としたが、図８に示すように開閉蓋１４の内側に中蓋４８を固定した構成とすることもできる。中蓋４８はラップ４０の上方を覆う半円筒状に形成するとともに、前端部４８ａをカット刃２２とは干渉しないフィルム受け部１８ａ、１８ｂに対向する位置にまで延出させる。中蓋４８の前端部４８ａはフィルム受け部１８ａ、１８ｂとはわずかに離間するようにし、中蓋４８の前端部４８ａとフィルム受け部１８ａ、１８ｂとの間の隙間部分からラッピングフィルム４２を引き出すようにする。このように中蓋４８を設けることで、ラッピングフィルム４２をカットした後、フィルムの端部がホルダ内に引き込まれることを防止することができる。
【００３１】
本実施形態のラップのカッティングホルダでは、収納部１０に収納するラップは芯筒４１にラッピングフィルム４２を巻回したものでよく、従来のようなカット刃を設けた収納箱を使用する必要がなく、省資源とすることができる。また、ラッピングフィルム４２を確実にカットして使用できることからラッピングフィルムの無駄を防止することができ、この点からも資源の有効活用を図って使いやすい製品として提供することができる。また、収納部１０、側板１２ａ、１２ｂ、フィルム受け部１８ａ、１８ｂ等の材質はとくに限定されるものではないが、合成樹脂による樹脂成形によって容易に所定形状に形成することができる、
【００３２】
本発明に係るカッティングホルダの利点の一つは、ラッピングフィルムをカットしたフィルムの切り残し端が、フィルム受け部１８ａ、１８ｂの上面に残り、次にラッピングフィルムをカットするときに、フィルムの端部をつまんで簡単に引き出すことができる点にある。上記実施形態では、図７に示すように、ラップ４０の端部から突出している芯筒４１を芯受け部４４によって支持し、ラッピングフィルム４２を引き出す際に、芯筒４１が回転するようにした。ラッピングフィルム４２をスムーズに引き出すことができ、フィルムをカットした際に芯筒４１が逆向きに回転してフィルムの端部がホルダ内に引き込まれないようにするには、芯筒４１を芯受け部４４で受けるかわりに、図９に示すように、芯筒４１にラップ４０とは別体に形成した支持軸５０を挿通し、支持軸５０の端部を側板１２ａ、１２ｂに設けた受け部５２によって受けるようにするのがよい。
【００３３】
支持軸５０と受け部５２によってラップ４０を支持する方が安定して支持することができ、ラップ４０をスムーズに回転させることができる。支持軸５０をラップ４０の芯筒４１の内径よりも十分に細径に形成し、支持軸５０の外周面に径方向に突出する向きに付勢された弾性部５６設けておくことにより、ラップ４０の芯筒４１の内径が製品によって異なる場合でも確実に支持軸５０を装着してラップ４０を支持することができる。
また、開閉蓋１４の支持側板１４ａの内側面に、開閉蓋１４を閉めた際に、支持軸５０の外周面に弾性的に押接して支持軸５０を回り止めする弾性体５４を取り付けておくとよい。この弾性体５４は、ラッピングフィルム４２を引き出す操作を妨げることはない程度に支持軸５０の外周面を押さえる作用をなすもので、弾性体５４を取り付けておくことにより、ラップ４０が逆回転してラッピングフィルム４２の端部がホルダ内に引き込まれることを防止することができる。
【００３４】
また、この弾性体５４は、収納部１０、側板１２ａ、１２ｂおよび開閉蓋１４等の各部材を、たとえば樹脂成形によって形成し、開閉蓋１４を側板１２ａ、１２ｂに向けて押圧することでクリック的に開閉蓋１４と側板１２ａ、１２ｂとを係合させてホルダを形成した場合に、開閉蓋１４と側板１２ａ、１２ｂとの係合をボタン等で解除した際に、開閉蓋１４を上方に跳ね上げるように作用し、開閉蓋１４の開閉操作にも利用することができる。
【００３５】
また、ホルダの収納部１０の下面や、側板１２ａ、１２ｂの底面にマグネットを取り付けておけば、冷蔵庫の壁面や建物の壁、炊事用のテーブルの上等に簡単に吸着させておくことができて、手軽に取り扱うことが可能になる。
【図面の簡単な説明】
【００３６】
【図１】カッティングホルダの一実施形態の全体構成を示す斜視図である。
【図２】カッティングホルダの一実施形態の全体構成を示す正面図である。
【図３】カッティングホルダの開閉蓋を開閉した状態の側面図である。
【図４】カット刃とガイド体の構成を示す斜視図である。
【図５】カット刃の他の構成例を示す説明図である。
【図６】カット刃を回動させる機構を示す説明図である。
【図７】カッティングホルダにラップを装着した状態を示す説明図である。
【図８】ホルダに中蓋を配置した構成を示す断面図である。
【図９】ラップに支持軸を挿通してホルダに支持した状態を示す断面図である。
【符号の説明】
【００３７】
１０  収納部
１２ａ、１２ｂ  側板
１４  開閉蓋
１４ａ、１４ｂ  支持側板
１８ａ、１８ｂ  フィルム受け部
２０ａ、２０ｂ  受け面
２２  カット刃
２２ａ  刃先
２４  ガイド体
２６  軸
２７  スプリング
２８  リンク板
２９  スプリング
３０a、３０ｂ  押さえ板
３１  軸
４０  ラップ
４１  芯筒
４２  ラッピングフィルム
４４  芯受け部
４６  剥離棒
４６ａ  切欠き
４８  中蓋
５０  支持軸
５２  受け部
５４  弾性体
【図１】
2005087444.tif 000003
【図２】
2005087444.tif 000004
【図３】
2005087444.tif 000005
【図４】
2005087444.tif 000006
【図５】
2005087444.tif 000007
【図６】
2005087444.tif 000008
【図７】
2005087444.tif 000009
【図８】
2005087444.tif 000010
【図９】
2005087444.tif 000011